(57)【要約】      （修正有）【課題】生ごみ由来の水分のみが効率よく外部に排出されるごみ袋を提供する。【解決手段】合成樹脂からなるシート材を袋状に形成したごみ袋１において、形成された袋体１０の一つの面の下方のみに２または３個の排水孔１２が設けられている。排水孔が袋体の下方の幅方向略中央に配置され、排水孔の形状が略円形または頂部が上方を向いた略三角形であり、買い物袋として利用可能である。【選択図】図１
0003229018.tif 000002
【実用新案登録請求の範囲】
【請求項１】
合成樹脂からなるシート材を袋状に形成したごみ袋において、
形成された袋体の一つの面の下方のみに２または３個の排水孔が設けられていることを特徴とするごみ袋。
【請求項２】
前記排水孔は、前記袋体の前記下方の幅方向略中央に配置されていることを特徴とする請求項１に記載のごみ袋。
【請求項３】
前記排水孔の形状は、略円形または頂部が上方を向いた略三角形であることを特徴とする請求項１または２に記載のごみ袋。
【請求項４】
買い物袋として利用可能であることを特徴とする請求項１〜３のいずれか一項に記載のごみ袋。
【考案の詳細な説明】
【技術分野】
【０００１】
本考案は、ごみに含まれていた水分を排出可能なごみ袋に関する。
【背景技術】
【０００２】
従来より、水分が多い生ごみをごみ袋に入れておくと水分が底部に溜まって悪臭を放ち、さらに、ごみの回収量が減少しない、あるいは、焼却に時間が掛かる等の問題があった。しかし、自治体等が指定する回収用のごみ袋には孔は開いておらず、水分を袋体外部に排出することはできなかった。そこで、生ごみの水分を分離するために生ごみ用水切り袋が開発されている。
【０００３】
特許文献１の完全水切り生ごみ袋は、底の両端を切り取った穴空きのビニール袋であることを特徴とし、特許文献２の台所用ごみ袋は、多数の小孔を有するポリエチレン等のヒートシール可能な合成樹脂フィルムの素材と、耐熱水性並びに通水性のある不織布或いは紙の素材とを２枚重ねの三角形状或いは正方形状にしてその隣り合う二辺同志を封口し、他の辺を開口部としたことを特徴としている。
【先行技術文献】
【特許文献】
【０００４】
【特許文献１】実開平４−４０００６号公報
【特許文献２】実開昭５９−０１８７０１号公報
【考案の概要】
【考案が解決しようとする課題】
【０００５】
しかしながら、生ごみの水切りのために従来の水切り用ごみ袋を使用することは、新たなごみを増やすことになる。現在は、環境保護の観点から、プラスチック製簡易買物袋が有料化され、プラスチックごみ減量の気運が高まっている。
【０００６】
本考案は、このような事情に鑑みてなされたもので、生ごみ由来の水分のみが効率よく外部に排出されるごみ袋を提供することを目的とする。
【課題を解決するための手段】
【０００７】
請求項１記載のごみ袋は、形成された袋体の一つの面の下方のみに２または３個の排水孔が設けられていることを特徴とする。
【０００８】
請求項２記載のごみ袋は、排水孔が袋体の下方の幅方向略中央に配置されていることを特徴とする。
【０００９】
請求項３記載のごみ袋は、排水孔の形状が略円形または頂部が上方を向いた略三角形であることを特徴とする。
【００１０】
請求項４記載のごみ袋は、買い物袋として利用可能であることを特徴とする。
【考案の効果】
【００１１】
本考案によれば、袋体の一つの面の下方のみに２または３個の排水孔が設けられることにより、生ごみから出た水分のみが効率よく外部に排出されるごみ袋を提供することができる。
【図面の簡単な説明】
【００１２】
【図１】本考案に係るごみ袋の第一の実施例を示す説明図である。
【図２】本考案に係るごみ袋の第二の実施例を示す説明図である。
【考案を実施するための形態】
【００１３】
以下、本考案の形態について図面を参照しながら具体的に説明する。
図１は、本考案に係るごみ袋の第一の実施例を示す正面図である。図２は、本考案に係るごみ袋の第二の実施例を示す正面図である。
【００１４】
本考案に係るごみ袋１、２は、ごみに含まれていた水分を排出可能なものであって、合成樹脂からなるシート材を袋状に形成したものである。合成樹脂からなるシート材の材質は任意であるが、例えば、ポリエチレン、ポリプロピレン、ポリオレフィン等であり、合成樹脂に炭酸カルシウム等の化合物が添加されていてもよい。ごみ袋１、２の容量や形状は任意であるが、容量は、例えば、１０Ｌ、２０Ｌ、３０Ｌ、４５Ｌ等であり、手提げ付きの手提げ型や手提げなしの角型等がある。
【００１５】
ごみ袋１、２は、形成された袋体１０、２０の一つの面のみに、２または３個の排水孔１２、２２が袋体１０、２０の下方、つまり使用時の底部、に設けられている。袋体１０、２０の底部に溜まった水分が、様々な箇所から排出されて周囲を汚してしまうことのないよう、排水孔１２、２２は、袋体１０、２０の一つの面のみに２または３個穿設されている。排水孔１２、２２は、水分を排出する開孔であるが、排気孔も兼ねている。
【００１６】
本考案に係るごみ袋１、２は、袋体１０、２０の一つの面の下方のみに２または３個の排水孔１２、２２を設けることにより、生ごみから出た水分のみが効率よく外部に排出され得る。このことはごみの減量にもつながる。
【００１７】
排水孔１２、２２の配置は、袋体１０、２０の下方であれば任意であるが、袋体１０、２０の下方の幅方向略中央に配置されていることが好ましい。この位置であれば、ごみ袋１、２を持ち上げた際に、内部のごみの重さにより底部の中央が下がり、袋体１０、２０の底部に溜まった水分をより効率的に排水することができる。
【００１８】
また、排水孔１２、２２の大きさは任意であるが、底部に溜まった水分の排出が可能で、かつ、袋体内に蓄積されたごみの一部が外部に排出されにくい程度であればよい。排水孔１２、２２の形状も任意であるが、略円形または略三角形であることが好ましい。排水孔２２の形状が略三角形である場合、三角形の１つの頂部が上方を向いていることがより好ましい。この場合、排水孔２２は、三角形の上方が狭く下方がより広く開孔していることから効率的に排水することができ、かつ、ごみの一部が外部に排出されにくい。
【００１９】
また、ごみ袋１、２は、ごみを収容するためのものであるが、ごみ袋として使用される前に、買い物袋としても利用可能であることが好ましい。つまり、買い物の際に買い物袋として購入し、使用したプラスチック製簡易買物袋が、その後、ごみ袋１、２として利用可能であれば、買い物袋の有効利用であり、ごみの減量にもつながる。
【実施例】
【００２０】
以下、実施例を示して本願のごみ袋について説明する。
【００２１】
［実施例１］
本実施例では、ごみ袋１は、図１に示すように、ポリエチレン製のシート材を袋状に形成した袋体１０で、縦８００ｍｍ×横６５０ｍｍ×厚み０．０２０ｍｍの容量４５Ｌの半透明の手提げ型である。袋体１０は左右両側に、袋体１０の内側に向ってＶ字形に折込まれたひだ部を有している。そして、袋体１０の１つの面のみ、つまり、図１の正面の下方の幅方向略中央に排水孔１２が横並びに２つ設けられている。排水孔１２は、直径３ｍｍの円形の開孔である。
【００２２】
買い物の際に、商品と一緒に買い物袋としてごみ袋１を購入した。なお、ごみ袋として回収可能なものを買い物袋として販売していたものとする。商品を袋詰めして使用した後、ごみ袋としてごみ袋１にごみの回収日まで生ごみを含むごみを溜めた。すると、生ごみから出た水分が袋体１０内の底部に溜まった。ごみ袋１を持ち上げた際に、底部の中央に集まった水分が排水孔１２から排出された。なお、ごみを溜めている状態、および／または、捨てるために持ち上げた際に、溜まった水分を受けるもの、または、流れ出ても良い場所があるとよい。
【００２３】
ごみ袋１は、袋体１０の一つの面のみに、袋体１０の下方の幅方向略中央に２個の排水孔１２を設けることにより、袋体１０の底部に溜まった生ごみから出た水分のみを効率よく外部に排出することができた。
【００２４】
［実施例２］
本考案に係る第２の実施例であるごみ袋２は、図２に示すように、排水孔２２の形状が三角形であること以外は、実施例１のごみ袋１と同様である。２つの排水孔２２は、一辺３ｍｍの正三角形の開孔であり、三角形の頂部が上方を向いている。
【００２５】
実施例１と同様に、ごみ袋２に生ごみを含むごみを溜めた。すると、生ごみから水分が出て袋体２０内の底部に溜まった。ごみ袋２は、排水孔２２の形状が１つの頂部が上方を向いていた三角形であるので、より効率的に排水することができた。
【００２６】
ごみ袋２は、袋体２０の一つの面のみに、袋体２０の下方の幅方向略中央に２個の排水孔２２を設けることにより、袋体２０の底部に溜まった生ごみから出た水分のみを効率よく外部に排出することができ、かつ、袋体内に蓄積されたごみの一部が外部に排出されることを防ぐことができた。これにより、ごみが減量され、さらに、焼却時間の短縮にもつながる。
【００２７】
本考案は、本考案の広義の精神と範囲を逸脱することなく、様々な実施の形態及び変形が可能とされるものである。また、上述した実施の形態は、この考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【産業上の利用可能性】
【００２８】
本考案により、袋体の一つの面のみに、袋体の下方に２または３個の排水孔を設けることにより、生ごみから出た水分のみが効率よく外部に排出されるごみ袋を提供することができる。
【符号の説明】
【００２９】
１・・・・・ごみ袋
２・・・・・ごみ袋
１０・・・・袋体
１２・・・・排水孔
２０・・・・袋体
２２・・・・排水孔
【図１】
0003229018.tif 000003
【図２】
0003229018.tif 000004